(57)【要約】【課題】ユーザによる簡便な操作により、表示中のコンテンツとは異なるコンテンツを、当該表示中のコンテンツに連動して表示させる。【解決手段】情報処理装置１１は、ユーザから指定されたコンテンツ１ｂを識別する情報を含むコンテンツ識別情報２ｂを記憶部３０に格納しておき、表示部７０におけるコンテンツ１ａの表示の終了を検出すると、記憶部３０に格納されたコンテンツ識別情報２ｂにより識別されるコンテンツ１ｂを表示するよう再生部５０に出力指示６を送出する。【選択図】図１
2013110526.tif 000002
【特許請求の範囲】
【請求項１】
コンテンツを出力する外部の出力装置に出力指示を送出する情報処理装置であって、
前記出力装置が出力する第１のコンテンツとは異なるコンテンツであって、ユーザから指定されたコンテンツである第２のコンテンツを識別する情報を含むコンテンツ識別情報を外部の記憶装置に格納する格納手段と、
前記出力装置が前記第１のコンテンツを出力することの終了を検出する検出手段と、
前記検出手段によって前記終了が検出された場合、前記記憶装置に格納されたコンテンツ識別情報により識別される前記第２のコンテンツを出力するよう前記出力装置に出力指示を送出する送出手段とを備えたことを特徴とする情報処理装置。
【請求項２】
前記格納手段は、前記第２のコンテンツを前記記憶装置にさらに逐次格納させ、
前記送出手段は、前記検出手段によって前記終了が検出された場合、前記記憶装置に格納された前記第２のコンテンツを出力するよう前記出力装置に前記出力指示として送出することを特徴とする請求項１に記載の情報処理装置。
【請求項３】
前記検出手段は、前記出力装置が前記第２のコンテンツを出力することの終了をさらに検出し、
前記検出手段によって前記第２のコンテンツの前記終了が検出された場合、前記記憶装置に格納された当該第２のコンテンツを削除するコンテンツ削除手段をさらに備えたことを特徴とする請求項２に記載の情報処理装置。
【請求項４】
前記第１のコンテンツは、外部の放送局から放送される放送波を実時間で受信することにより取得されるテレビジョン番組であることを特徴とする請求項１から３のいずれか１項に記載の情報処理装置。
【請求項５】
前記検出手段は、前記出力装置が出力するコンテンツが、前記第１のコンテンツから当該第１のコンテンツとは異なる他のコンテンツに切り替わったことを検出することにより、前記終了を検出することを特徴とする請求項１から４のいずれか１項に記載の情報処理装置。
【請求項６】
前記検出手段は、前記出力装置に前記第２のコンテンツを出力させるための第１の入力操作があった場合、前記終了を検出することを特徴とする請求項１から５のいずれか１項に記載の情報処理装置。
【請求項７】
前記検出手段は、前記出力装置に前記第２のコンテンツの出力を停止させるための第２の入力操作があった場合、前記記憶装置に格納されたコンテンツ識別情報を削除するコンテンツ識別情報削除手段をさらに備えたことを特徴とする請求項１から６のいずれか１項に記載の情報処理装置。
【請求項８】
請求項１から７のいずれか１項に記載の情報処理装置と、当該情報処理装置から送出された出力指示にしたがってコンテンツを表示出力する出力装置とを備えることを特徴とするテレビジョン受像機。
【請求項９】
コンテンツを出力する外部の出力装置に出力指示を送出する情報処理装置の制御方法であって、
前記出力装置が出力する第１のコンテンツとは異なるコンテンツであって、ユーザから指定されたコンテンツである第２のコンテンツを識別する情報を含むコンテンツ識別情報を外部の記憶装置に格納する格納ステップと、
前記出力装置が前記第１のコンテンツを出力することの終了を検出する検出ステップと、
前記検出ステップによって前記終了が検出された場合、前記記憶装置に格納されたコンテンツ識別情報により識別される前記第２のコンテンツを出力するよう前記出力装置に出力指示を送出する送出ステップとを含むことを特徴とする情報処理装置の制御方法。
【請求項１０】
請求項１から７のいずれか１項に記載の情報処理装置を動作させるための制御プログラムであって、コンピュータを前記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、コンテンツを出力する外部の出力装置に出力指示を送出する情報処理装置、情報処理装置の制御方法、テレビジョン受像機、制御プログラム、および記録媒体に関するものである。
【背景技術】
【０００２】
外部から受信したコンテンツを記憶する記憶装置を備え、ユーザによる簡単な操作により当該記憶装置と連動して動作するテレビジョン受像機等の表示装置が普及している。こうした表示装置では、例えば受信中のコンテンツを視聴中のユーザが、一時的に視聴を中断する場合、所定の操作（例えば「一時停止」ボタンの押下）により当該コンテンツの表示を一時停止させ、同様の操作により表示を再開させることができる。
【０００３】
上記は、記憶装置を備えた表示装置が当該２つの装置の機能（記憶および表示）を連動させることにより、ユーザが行う異なる２つの操作を、１つの操作に集約する機能と言える。すなわち、ユーザが視聴を中断するときに受信中のコンテンツを記憶するようユーザが記憶装置に指示する操作と、再開するときに当該記憶されたコンテンツを表示するようユーザが表示装置に指示する操作とを、簡単な操作に集約する機能と言える。
【０００４】
これにより、上記例では、リアルタイムで提供されるコンテンツをあたかも記憶済みのコンテンツのように「一時停止」できるなど、ユーザによる操作の簡略化を実現できる。例えば、ユーザがコンテンツを視聴中に別のコンテンツの視聴を所望した場合、ユーザは視聴中であった先のコンテンツを「一時停止」し、当該別のコンテンツの視聴を終えた後に、「一時停止」した先のコンテンツ（記憶した最初のコンテンツ）を表示させることができる（いわゆる「追いかけ再生機能」）。
【０００５】
一方、上記機能に類似する効果を実現する技術として、下記の特許文献１には、ユーザが視聴したいテレビジョン番組を視聴したい時間に再生するように、あらかじめスケジューリングする技術が開示されている。同文献に記載の技術で実現される機能は、ユーザが所望したコンテンツを都合の良いタイミング（例えば別のコンテンツの視聴を終えた後）で視聴することを可能にするという点で、上記機能と類似している。
【０００６】
また、下記の特許文献２には、カラオケ装置の音声信号等の再生プログラムの予約情報を表示できる技術が開示されている。特許文献１に記載の技術によって実現される機能と同様に、音声信号等の再生予約を設定できるという点で、上記機能と類似すると言える。
【先行技術文献】
【特許文献】
【０００７】
【特許文献１】特開２００３−１８９２１８号公報（平成１５年７月４日公開）
【特許文献２】特開平５−６２４３６号公報（平成５年３月１２日公開）
【発明の概要】
【発明が解決しようとする課題】
【０００８】
一方で、リアルタイムで提供されるコンテンツと連動して、他のコンテンツの再生予約を設定する機能は提供されておらず、ユーザが不便な操作を強いられる場合がある。すなわち、ユーザが現在視聴中のコンテンツとは別に、視聴を所望する他のコンテンツがあり、当該視聴中のコンテンツが終了した後に当該他のコンテンツの視聴を予定している場合、ユーザが当該他のコンテンツを選択する操作を行うのに、視聴中のコンテンツの終了を待つ必要があるのは不便である。これに対しては、ユーザが先のコンテンツを視聴している任意のタイミングで、当該他のコンテンツを再生するための選択（再生予約の設定）を行えることが望ましい。
【０００９】
ここで、上記の特許文献１および２に開示された技術は、記憶済みの番組等に対して再生予約を設定する機能を提供するものに過ぎず、再生予約したコンテンツとユーザが現在視聴しているコンテンツとの関連性が考慮されていない。これにより、ユーザが別のコンテンツを視聴している最中であっても、再生予約された時刻になると予約されたコンテンツの再生が強制的に開始されるという不具合が考えられる。これでは、例えば視聴していたテレビジョン番組の放送時間が延長された場合などに、柔軟に対応できない。
【００１０】
本発明は、上記の問題点に鑑みてなされたものであり、その目的は、ユーザによる簡便な操作により、出力中のコンテンツとは異なるコンテンツを、当該出力中のコンテンツに連動して出力させることができる情報処理装置等を提供することである。
【課題を解決するための手段】
【００１１】
上記の課題を解決するために、本発明の情報処理装置は、
（１）コンテンツを出力する外部の出力装置に出力指示を送出する情報処理装置であって、
（２）前記出力装置が出力する第１のコンテンツとは異なるコンテンツであって、ユーザから指定されたコンテンツである第２のコンテンツを識別する情報を含むコンテンツ識別情報を外部の記憶装置に格納する格納手段と、
（３）前記出力装置が前記第１のコンテンツを出力することの終了を検出する検出手段と、
（４）前記検出手段によって前記終了が検出された場合、前記記憶装置に格納されたコンテンツ識別情報により識別される前記第２のコンテンツを出力するよう前記出力装置に出力指示を送出する送出手段とを備えたことを特徴としている。
【００１２】
また、上記の課題を解決するために、本発明の情報処理装置の制御方法は、
（１）コンテンツを出力する外部の出力装置に出力指示を送出する情報処理装置の制御方法であって、
（２）前記出力装置が出力する第１のコンテンツとは異なるコンテンツであって、ユーザから指定されたコンテンツである第２のコンテンツを識別する情報を含むコンテンツ識別情報を外部の記憶装置に格納する格納ステップと、
（３）前記出力装置が前記第１のコンテンツを出力することの終了を検出する検出ステップと、
（４）前記検出ステップによって前記終了が検出された場合、前記記憶装置に格納されたコンテンツ識別情報により識別される前記第２のコンテンツを出力するよう前記出力装置に出力指示を送出する送出ステップとを含むことを特徴としている。
【００１３】
上記の構成によれば、本発明の情報処理装置および当該装置の制御方法は、ユーザから指定された第２のコンテンツを識別するコンテンツ識別情報を記憶装置に格納することにより、ユーザからコンテンツ単位でコンテンツ（第２のコンテンツ）の登録を受け付ける。そして、出力装置が第１のコンテンツの出力を終了したことを検出すると、記憶装置に格納した当該コンテンツ識別情報により識別される第２のコンテンツを出力するよう、出力装置に出力指示を送出する。
【００１４】
すなわち、本発明の情報処理装置等は、第１のコンテンツの次に出力装置が出力すべきコンテンツが第２のコンテンツであることを記憶しておき、当該出力装置が当該第１のコンテンツの出力を終了した後、当該出力装置に当該第２のコンテンツを出力させる。したがって、本発明の情報処理装置等は、例えば外部から提供される第１のコンテンツの提供が終了した時点で、ユーザが自動的に第２のコンテンツを視聴できるように、当該第２のコンテンツの出力予約を設定できるようにすることができる。
【００１５】
これにより、ユーザによる簡便な操作により、出力中のコンテンツ（第１のコンテンツ）とは異なるコンテンツ（第２のコンテンツ）を、当該出力中のコンテンツに連動して出力させることができるため、ユーザの利便性を向上させることができる。
【００１６】
また、本発明の情報処理装置は、
（１）前記格納手段は、前記第２のコンテンツを前記記憶装置にさらに逐次格納させ、
（２）前記送出手段は、前記検出手段によって前記終了が検出された場合、前記記憶装置に格納された前記第２のコンテンツを出力するよう前記出力装置に前記出力指示として送出することを特徴としている。
【００１７】
上記の構成によれば、本発明の情報処理装置は、記憶装置に格納されたコンテンツ識別情報によって識別される第２のコンテンツを、当該コンテンツ識別情報と対応付けて記憶装置に格納する。ここで、本発明の情報処理装置において上記第２のコンテンツとは、例えばユーザが視聴中の第１のコンテンツと、その提供時期が時間的に重複する他のコンテンツである。
【００１８】
すなわち、上記情報処理装置は、出力装置が第１のコンテンツを出力するのに並行して、第２のコンテンツを記憶装置に格納していく。そして、上記情報処理装置は、出力装置が第１のコンテンツの出力を終了したことを検出すると、上述の出力指示とあわせて当該第２のコンテンツも出力装置に送出する。
【００１９】
第１のコンテンツの出力を継続し、その後に第２のコンテンツの出力を行うユーザの希望に応えることができるため、ユーザの利便性をさらに向上させることができる。
【００２０】
また、本発明の情報処理装置では、
（１）前記検出手段は、前記出力装置が前記第２のコンテンツを出力することの終了をさらに検出し、
（２）前記検出手段によって前記第２のコンテンツの前記終了が検出された場合、前記記憶装置に格納された当該第２のコンテンツを削除するコンテンツ削除手段をさらに備えたことを特徴としている。
【００２１】
上記の構成によれば、本発明の情報処理装置は、出力装置が記憶装置に格納された第２のコンテンツの出力を終了したことを検出し、当該第２のコンテンツを削除できる。したがって、第２のコンテンツを記憶装置から自動的に削除できるので、当該コンテンツの出力が終了した後にユーザが自ら削除する手間を省くことができることに加え、ユーザの消し忘れも回避できる。これにより、ユーザの利便性をさらに向上させることができる。
【００２２】
また、本発明の情報処理装置では、
（１）前記第１のコンテンツは、外部の放送局から放送される放送波を実時間で受信することにより取得されるテレビジョン番組であることを特徴としている。
【００２３】
すなわち、第１のコンテンツの例として、外部の放送局から放送される放送波を実時間で受信することにより取得されるテレビジョン番組が挙げられる。
【００２４】
また、本発明の情報処理装置では、
（１）前記検出手段は、前記出力装置が出力するコンテンツが、前記第１のコンテンツから当該第１のコンテンツとは異なる他のコンテンツに切り替わったことを検出することにより、前記終了を検出することを検出することを特徴としている。
【００２５】
上記の構成によれば、本発明の情報処理装置は、上記の切り替わりを検出することにより、出力装置が第１のコンテンツの出力を終了したか否かを検出できる。
【００２６】
例えば、コンテンツがテレビジョン番組である場合、各コンテンツはＥＰＧ（Electronic Program Guide）や現在番組情報（EIT present）のようなデータにより識別できる。したがって、こうしたコンテンツを識別可能な情報を用いてコンテンツの切り替わりを検出することで、出力装置が第１のコンテンツの出力を終了したか否かを判定できる。これにより、第１のコンテンツの出力の終了予定時刻が変化したり、不明であったりする場合にも対応できる。
【００２７】
また、本発明の情報処理装置では、
（１）前記検出手段は、前記出力装置に前記第２のコンテンツを出力させるための第１の入力操作があった場合、前記終了を検出することを特徴としている。
【００２８】
上記の構成によれば、本発明の情報処理装置は、ユーザから第１の入力操作があったことを検出したときは、出力装置が第１のコンテンツの出力を終了したか否かにかかわらず、当該第１のコンテンツの出力を終了したとみなす。
【００２９】
したがって、本発明の情報処理装置は、たとえ出力装置が第１のコンテンツの出力の途中であっても、ユーザの希望に基づいて、当該出力装置に第２のコンテンツを出力させることができ、その結果、ユーザの利便性をさらに向上させることができる。
【００３０】
また、本発明の情報処理装置は、
（１）前記検出手段は、前記出力装置に前記第２のコンテンツの出力を停止させるための第２の入力操作があった場合、前記検出手段によって前記第２のコンテンツに関する前記終了が検出された場合、前記記憶装置に格納されたコンテンツ識別情報を削除するコンテンツ識別情報削除手段をさらに備えたことを特徴としている。
【００３１】
上記の構成によれば、本発明の情報処理装置は、ユーザから第２の入力操作があったことを検出したときは、出力装置が第２のコンテンツの出力を終了したか否かにかかわらず、当該第２のコンテンツの出力を終了したとみなして、当該第２のコンテンツを識別するコンテンツ識別情報を記憶装置から削除する。
【００３２】
したがって、本発明の情報処理装置は、たとえ出力装置が第１のコンテンツまたは第２のコンテンツの出力の途中であっても、ユーザの希望に基づいて、第２のコンテンツの出力を停止させることができる。また、当該コンテンツ識別情報を記憶装置から自動的に削除できるので、第２のコンテンツの出力が終了した後にユーザが自ら削除する手間を省くことができることに加え、ユーザの消し忘れも回避できる。これにより、ユーザの利便性をさらに向上させることができる。
【００３３】
また、本発明のテレビジョン受像機は、
（１）情報処理装置と、当該情報処理装置から送出された出力指示にしたがってコンテンツを表示出力する出力装置とを備えることを特徴としている。
【００３４】
上記の構成によれば、出力装置は、情報処理装置から送出された出力指示を入力として受け付け、当該出力指示により特定されるコンテンツを表示できる。したがって、上記の出力装置は、例えばリアルタイムで提供される第１のコンテンツの提供が終了した時点で、第２のコンテンツをユーザが視聴できるように、当該第２のコンテンツに対する出力予約を設定できる。
【００３５】
また、上記構成の情報処理装置と、該情報処理装置から送出された出力指示にしたがってコンテンツを表示出力する出力装置とを備えるテレビジョン受像機であれば、上述の効果を奏することができる。
【００３６】
なお、前記情報処理装置はコンピュータによって実現してもよい。この場合には、コンピュータを前記情報処理装置の各手段として動作させることにより、前記情報処理装置をコンピュータで実現させる制御プログラム、およびこれを記録したコンピュータ読み取り可能な記録媒体も本発明の範疇に入る。
【発明の効果】
【００３７】
以上のように、本発明の情報処理装置は、コンテンツを出力する外部の出力装置に出力指示を送出する情報処理装置であって、前記出力装置が出力する第１のコンテンツとは異なるコンテンツであって、ユーザから指定されたコンテンツである第２のコンテンツを識別する情報を含むコンテンツ識別情報を外部の記憶装置に格納する格納手段と、前記出力装置が前記第１のコンテンツを出力することの終了を検出する検出手段と、前記検出手段によって前記終了が検出された場合、前記記憶装置に格納されたコンテンツ識別情報により識別される前記第２のコンテンツを出力するよう前記出力装置に出力指示を送出する送出手段とを備えた構成である。
【００３８】
また、本発明の情報処理装置の制御方法は、コンテンツを出力する外部の出力装置に出力指示を送出する情報処理装置の制御方法であって、前記出力装置が出力する第１のコンテンツとは異なるコンテンツであって、ユーザから指定されたコンテンツである第２のコンテンツを識別する情報を含むコンテンツ識別情報を外部の記憶装置に格納する格納ステップと、前記出力装置が前記第１のコンテンツを出力することの終了を検出する検出ステップと、
前記検出ステップによって前記終了が検出された場合、前記記憶装置に格納されたコンテ識別情報により識別される前記第２のコンテンツを出力するよう前記出力装置に出力指示を送出する送出ステップとを含む構成である。
【００３９】
したがって、本発明の情報処理装置等は、第１のコンテンツの次に出力装置が出力すべきコンテンツを、第２のコンテンツとして当該出力装置に指示できる。これにより、例えばリアルタイムで提供される当該第１のコンテンツの提供が終了した時点で、ユーザが第２のコンテンツを自動的に視聴できるように、当該第２のコンテンツに対する出力予約を設定できるようにすることができる。その結果、ユーザによる簡便な操作により、出力中の第１のコンテンツとは異なる第２のコンテンツを、当該出力中の第１のコンテンツに連動して出力させることができるため、ユーザの利便性を向上させることができるという効果を奏する。
【図面の簡単な説明】
【００４０】
【図１】本発明の一実施形態に係る情報処理装置を内蔵する表示装置の一部構成を示すブロック図である。
【図２】上記情報処理装置を動作させた場合に、同図に示した表示装置の表示部に表示される画面の一例を表した模式図である。
【図３】上記情報処理装置が、先のコンテンツの放送が終了した後で、同図に示した表示装置に後のコンテンツを表示させる場合に、当該２つのコンテンツが表示される時間的な関係の一例を表すタイミングチャートである。
【図４】ユーザが上記表示装置へ入力を与えるためのリモコンを表した模式図である。
【図５】上記表示装置のより具体的な実現例である、テレビジョン受像機の構成を示すブロック図である。
【図６】上記情報処理装置が実行する処理の一例を示すフローチャートである。
【図７】本発明の異なる実施形態に係る情報処理装置を内蔵する表示装置の一部構成を示すブロック図である。
【図８】上記情報処理装置を動作させた場合に、同図に示した表示装置の表示部に表示される画面の一例を表した模式図である。
【図９】上記情報処理装置が、先のコンテンツの放送が終了した後で同図に示した表示装置に後のコンテンツを表示させる場合に、当該２つのコンテンツが表示される時間的な関係の一例を表す模式図である。
【図１０】上記情報処理装置が実行する処理の一例を示すフローチャートである。
【発明を実施するための形態】
【００４１】
〔実施の形態１〕
以下、本発明の実施の一形態について、図１〜図６に基づいて詳細に説明する。なお、ここでは、情報処理装置１１（図１を参照）を内蔵した装置として、表示装置１００を想定する。特に、後述するように、表示装置１００の具体的な実現例としてテレビジョン受像機１０１を想定する。
【００４２】
ただし、情報処理装置１１を内蔵した上記装置は、情報処理装置１１から送出される出力指示６を受信し、当該出力指示で指定されたコンテンツ１をユーザに対して出力できる装置でありさえすれば、表示装置１００（テレビジョン受像機１０１）に限定されない。例えば、ラジオ、パーソナルコンピュータ、タブレット端末、携帯電話、プリンタ、その他何らかのコンテンツを出力する構成を搭載した電子機器であってもよい。
【００４３】
以下の説明において、１つの符号にａ、ｂ、またはｃが付されることにより複数存在することが明示される構成については、説明を簡潔に記述するために、これらを省略して当該構成を総称することがある（例えば、コンテンツ１ａ、１ｂ、および１ｃを、「コンテンツ１」と総称することがある）。
【００４４】
〔情報処理装置１１の概要〕
最初に、情報処理装置１１の概要を説明する。
【００４５】
「コンテンツ」とは、外部の放送局（メインチャンネルおよびサブチャンネルの双方を含む）から放送される放送波を、表示装置１００が実時間で受信することにより取得されるテレビジョン番組である。しかし、「コンテンツ」は、地上波放送、ケーブルテレビ、ＣＳ放送、ラジオ放送、インターネットなどから提供されるすべての映像、画像、音楽、音声、文章、文字、数式、数字、記号などであってもよい。
【００４６】
「コンテンツ識別情報」とは、コンテンツを識別可能な情報を含む情報である。例えば、ＥＰＧ情報、現在番組情報、インターネット等を介して取得される各種データなどが含まれる。
【００４７】
なお、本実施の形態では、記憶部３０にコンテンツ１があらかじめ格納されているとする。そして、情報処理装置１１は、実時間で受信することにより取得されたコンテンツ（第１のコンテンツ）１ａの放送終了後に、記憶部３０に格納されていたコンテンツ（第２のコンテンツ）１ｂを表示装置１００に再生させる場合を想定する。
【００４８】
（情報処理装置１１の基本的な動作）
図２に基づいて、情報処理装置１１の動作の概要について説明する。図２は、情報処理装置１１を動作させた場合に、表示装置１００の表示部７０に表示される画面の一例を表した模式図である。同図において、（ａ）は、ユーザがコンテンツ１ａ（同図では「プロ野球」）を視聴中に、記憶部３０に格納されているコンテンツのコンテンツ識別情報２をリスト表示させている場合の画面例、（ｂ）は、上記コンテンツの中から視聴を所望するコンテンツ１ｂ（同図では「ドラマ」）をユーザが選択した結果、当該コンテンツのコンテンツ識別情報２ｂが提示されている場合の画面例、（ｃ）は、ユーザが先に視聴していたコンテンツ１ａの放送が終了したため、選択されたコンテンツ１ｂが続いて表示されている場合の画面例である。
【００４９】
ユーザがコンテンツ１ａを視聴しているときに、記憶部３０に格納されているコンテンツ１ｂの再生予約を設定する場合、情報処理装置１１は以下の３つのステップで設定処理を実行する。
（１）情報処理装置１１は、コンテンツ１ａを視聴中のユーザに、記憶部３０に格納されているコンテンツのコンテンツ識別情報２から、視聴を希望するコンテンツ１ｂのコンテンツ識別情報２ｂを選択させる。図２（ａ）に示すように、情報処理装置１１は、コンテンツ識別情報２ｂの候補を、例えばリスト表示することでユーザに選択させる。
（２）情報処理装置１１は、選択されたコンテンツ識別情報２ｂを記憶部３０に格納する。図２（ｂ）に例示するように、情報処理装置１１は、表示装置１００がコンテンツ１ａの表示を終えた後に自動的にコンテンツ１ｂの再生が開始される（以下、この状態を「再生待機状態」と称する）ことを示す情報をユーザに提示してよい。
（３）情報処理装置１１は、表示装置１００がコンテンツ１ａの表示を終了したこと（ユーザがコンテンツ１ａの視聴を終えたこと）を検出すると、表示装置１００に出力指示６（表示装置１００にコンテンツ１ｂの再生を開始させる指示信号）を送出する。図２（ｃ）に例示するように、情報処理装置１１は、コンテンツ１ｂを再生していることを示す情報をユーザに提示してよい。
【００５０】
以上を簡潔にまとめると、本実施の形態に係る情報処理装置１１は、コンテンツ１ａの放送が終了した時点でユーザがコンテンツ１ｂを視聴できるように、表示装置１００がコンテンツ１ｂの再生予約を設定できるようにすることができる。
【００５１】
ここで、ユーザがコンテンツ１ａを視聴している最中であれば、ユーザは任意のタイミングで表示装置１００にコンテンツ１ｂを登録できることに注意する。すなわち、ユーザは表示装置１００によるコンテンツ１ａの出力終了を待たずに、コンテンツ１ｂの選択操作を行える。これにより、ユーザは手が空いている時間を見計らってコンテンツ識別情報２ｂの選択操作を行うことができる。
【００５２】
また、ユーザが次々と放送局を切り替えて、現在視聴中のテレビジョン番組とは異なる番組を探索する「ザッピング視聴」を行った場合であって、当該探索によりユーザの興味を引く新たな番組が発見されたが、ユーザは視聴していた元の番組の視聴を継続したい場合を例として考える。このとき、当該新たな番組を表示させ、当該新たな番組を録画してから、元の番組の視聴に戻るという３段階の操作が必要になる。
【００５３】
これに対し、本実施の形態の情報処理装置１１は、上述のとおり、表示装置１００がコンテンツ１ｂの再生予約を設定できるようにする。すなわち、視聴が予定された新たな番組（コンテンツ１ｂ）の記憶および表示に必要となる上記３段階の操作を、簡単な操作に集約できるため、ユーザの操作負担を軽減できる。
【００５４】
（コンテンツ１ａとコンテンツ１ｂとの時間的関係）
図３に基づいて、コンテンツ１ａとコンテンツ１ｂとが表示装置１００に表示される時間の関係について説明する。図３は、情報処理装置１１が、コンテンツ１ａの放送が終了した後で表示装置１００にコンテンツ１ｂを再生させる場合に、当該２つのコンテンツが表示される時間的な関係の一例を表し、（ａ）は、コンテンツ１ａの放送時間が延長されなかった場合の関係、（ｂ）は、コンテンツ１ａの放送時間が延長された場合の関係を表すタイミングチャートである。
【００５５】
前述した通り、情報処理装置１１は、ユーザがコンテンツ１ａの視聴を終えたことを検出したときに、表示装置１００にコンテンツ１ｂの表示を開始するよう出力指示６を送出する。したがって、図３（ｂ）に示すように、例えばコンテンツ１ａの放送時間が延長された場合であっても、当該延長された時間にあわせて表示装置１００に対するコンテンツ１ｂの出力指示６を遅らせることができる。
【００５６】
すなわち、従来の再生予約のように、ユーザが視聴中のコンテンツ１ａと、再生予約されたコンテンツ１ｂとの連動を考慮しなければ、コンテンツ１ａの放送が終了したか否かにかかわらず、再生予約の時刻になると強制的にコンテンツ１ｂの再生が開始されるという不具合が考えられる。さらに、従来の装置は出力日時を指定して予約設定を行う必要があり、当該日時を指定するための操作が煩わしく、ユーザに過度の負担を強いるおそれがある。
【００５７】
これに対し、本実施の形態の情報処理装置１１は、ユーザが視聴中のコンテンツ１ａに連動してコンテンツ１ｂの再生を表示装置１００に指示するため、上記のような不具合は起こらない。また、コンテンツ１ｂの出力指示は、上記連動により自動的に行われるため、ユーザの操作負担を減らすことができる。
【００５８】
さらに、上記の連動により、図３（ａ）に示すように、ユーザが視聴を所望するコンテンツ１ｂが、あたかも１つの情報源から提供されているように自動的に連続して出力される。これにより、ユーザは自身が視聴を所望するコンテンツばかりが提供される専用の情報源を有しているかのような満足感を得るだけでなく、コンテンツ１ｂの見忘れをも防止できる。
【００５９】
（表示装置１００への入力操作）
図４に基づいて、表示装置１００への入力操作について説明する。図４は、ユーザが表示装置１００へ入力を与えるためのリモコン２１を表した模式図である。図示のように、リモコン２１は、表示装置１００の所定の機能を駆動させるボタンを備える。
【００６０】
なお、後述するように、ユーザがリモコン２１の「再生ボタン」や「停止ボタン」を押下する操作を、以下では「ユーザ操作５ｂ」（第１の入力操作、第２の入力操作）と称する。一方、これ以外の一般的な操作（例えば放送局の選択など）を「ユーザ操作５ａ」と称する。
【００６１】
〔表示装置１００の構成〕
図１に基づいて、本実施の形態に係る情報処理装置１１を内蔵した表示装置１００の構成について説明する。図１は、情報処理装置１１を内蔵する表示装置１００の一部構成を示すブロック図である。図示のように、表示装置１００は、情報処理装置１１、入力部２０、記憶部３０、受信部４０、再生部（出力装置）５０、表示制御部（出力装置）６０、および表示部（出力装置）７０を含む。
【００６２】
情報処理装置１１は、格納部（格納手段）１５、検出部（検出手段）１６、送出部（送出手段）１７、および削除部１８を含む。格納部１５はコンテンツ識別情報格納部（格納手段）１５１を含み、送出部１７は指示送出部（送出手段）１７１を含み、削除部１８はコンテンツ識別情報削除部（コンテンツ識別情報削除手段）１８１を含む。再生部５０は、コンテンツ再生部５１とコンテンツ識別情報取得部５２とを含む。なお、表示装置１００および情報処理装置１１は、上記の構成以外の構成を含み得ることは言うまでもない。
【００６３】
以下、情報処理装置１１（格納部１５、検出部１６、送出部１７、削除部１８）、再生部５０（コンテンツ再生部５１、コンテンツ識別情報取得部５２）、その他の構成（入力部２０、記憶部３０、受信部４０、表示制御部６０、表示部７０）の順序で各構成が担う機能を説明する。
【００６４】
（情報処理装置１１）
情報処理装置１１は、コンテンツ１ｂの出力指示６を表示装置１００に送出することで、当該出力指示を受信した表示装置１００に当該コンテンツを表示させる。また、情報処理装置１１は、入力部２０を介したユーザからのユーザ操作５を検出する。
【００６５】
格納部１５は、ユーザから指定されたコンテンツ識別情報２ｂを記憶部３０に格納する。具体的には、コンテンツ識別情報格納部１５１が、ユーザ操作５ａで指定されたコンテンツ識別情報２ｂを記憶部３０へ格納する。
【００６６】
検出部１６は、表示装置１００がコンテンツ１ａの表示を終了したことを検出する。具体的には、コンテンツ識別情報取得部５２からコンテンツ１ａを識別するコンテンツ識別情報２ａを取得し、その後に、当該コンテンツ識別情報がコンテンツ１ａとは異なる別のコンテンツを識別するものに変化したことを検出する。例えば、コンテンツ識別情報２ａに現在番組情報が含まれている場合、この現在番組情報が示す「現在表示中のテレビジョン番組」が切り替わったことを検出する。検出部１６は、コンテンツ１ａの終了を検出した場合、終了信号７ａ（表示装置１００がコンテンツ１ａの表示を終了したことを示す信号）を指示送出部１７１へ送信する。
【００６７】
また、検出部１６は、表示装置１００にコンテンツ１ｂを表示させるためのユーザ操作（第１の入力操作）５ｂを情報処理装置１１が検出した場合にも、コンテンツ１ａの表示が終了したとみなして検出する。例えば、ユーザがリモコン２１の再生ボタン２４（図４を参照）を押下したことを、入力部２０を介して情報処理装置１１が検出すると、検出部１６はコンテンツ１ａの表示が終了したとみなして、終了信号７ａを指示送出部１７１へ出力する。これにより、コンテンツ１ａが放送途中であっても、情報処理装置１１は表示装置１００にコンテンツ１ｂを表示させることができるため、ユーザは所望のコンテンツ１ｂをすぐに鑑賞できる。
【００６８】
さらに、検出部１６は、表示装置１００がコンテンツ１ｂの再生を終了したことも検出する。具体的には、再生部５０がコンテンツ１ｂの記憶部３０からの読み込みを終了したことを示す終了信号７ｂが再生部５０から入力された場合、検出部１６は削除指示８ａをコンテンツ識別情報削除部１８１へ出力する。これにより、コンテンツ識別情報削除部１８１はコンテンツ識別情報２ｂを記憶部３０から削除する。
【００６９】
なお、検出部１６は、コンテンツ１の終了を、外部に接続した機器から取得できる情報に基づいて検出してもよい。例えば、表示装置１００と外部のレコーダとがＨＤＭＩ（High-Definition Multimedia Interface）で接続されている場合、検出部１６はレコーダから送信されるコンテンツの終了を示す情報を取得することで、コンテンツ１の終了タイミングを検出できる。また、ＨＤＭＩ接続だけに限らず、例えばその他の外部機器とＬＡＮ（Local Area Network）接続されている場合に、イーサネット（登録商標）接続を介して、当該外部機器からコンテンツの終了を示す情報を取得することで、コンテンツ１の終了タイミングを検出してもよい。
【００７０】
送出部１７は、検出部１６によって表示装置１００がコンテンツ１ａの出力を終了したことが検出された場合、再生部５０に出力指示６を送出する。具体的には、検出部１６から終了信号７が入力された場合、指示送出部１７１が、出力指示６を再生部５０に送出する。
【００７１】
削除部１８は、検出部１６から削除指示８が入力された場合、記憶部３０からコンテンツ識別情報２ｂを削除する。具体的には、検出部１６から削除指示８ａが入力された場合、コンテンツ識別情報削除部１８１がコンテンツ識別情報２ｂを、記憶部３０から削除する。
【００７２】
また、コンテンツ識別情報削除部１８１は、表示装置１００にコンテンツ１ｂの再生を停止させるためのユーザ操作（第２の入力操作）５ｂがあった場合も、コンテンツ識別情報２ｂを記憶部３０から削除する。例えば、ユーザがリモコン２１の停止ボタン２５（図４を参照）を押下したことを、入力部２０を介して情報処理装置１１が検出すると、コンテンツ識別情報削除部１８１はコンテンツ１ｂの再生が終了したとみなして、当該コンテンツ識別情報を記憶部３０から削除する。
【００７３】
（再生部５０）
再生部５０は、受信部４０が外部から受信したコンテンツストリーム３を取得し、ユーザ操作５ａによって指定された放送局に対応するコンテンツ１とコンテンツ識別情報２とを分離する。
【００７４】
また、再生部５０は、情報処理装置１１の出力指示６の入力を受けて、記憶部３０からコンテンツ１ｂと当該コンテンツを識別するコンテンツ識別情報２とを読み出し、これらを表示制御部６０へ出力する。当該読み出しが終了した場合は、終了信号７ｂを検出部１６へ出力する。
【００７５】
コンテンツ再生部５１は、受信部４０が受信したコンテンツストリーム３からコンテンツ１を抽出し、これを表示制御部６０へ出力する。
【００７６】
コンテンツ識別情報取得部５２は、受信部４０が受信したコンテンツストリーム３からコンテンツ識別情報２を抽出し、これを情報処理装置１１および表示制御部６０へ出力する。
【００７７】
（その他の構成）
入力部２０は、ユーザからのユーザ操作５を受け付ける。ユーザからの入力を受け付けるインターフェースであれば何でもよく、例えばリモコン２１、表示装置１００に備えられたボタン、キーボード、マウスなど、一般的な入力インターフェースからの入力信号を受信する機器が考えられる。なお、ユーザが入力に使用するインターフェースは、物理的なボタンを備えたハードウェアインターフェースでなくともよい。例えば、リモコン２１がタッチパネルを備えた液晶画面を有し、ユーザはこの液晶画面に表示されたソフトウェアキーを押下することで、表示装置１００にユーザ操作５を与えてもよい。
【００７８】
記憶部３０は、コンテンツ１およびコンテンツ識別情報２を記憶した不揮発性の記憶装置である。本実施の形態では、記憶部３０は表示装置１００に内蔵される内部記憶装置として図１に示しているが、表示装置１００の外部に接続された外部記憶装置として実現されてもよいし。本実施の形態では、記憶部３０として外付けのＵＳＢ（Universal Serial Bus）ハードディスクドライブを想定しているが、例えば半導体メモリ、ブルーレイディスク（Blue-lay Disk、登録商標）レコーダ、ＤＶＤ（Digital Versatile Disk）レコーダであってもよく、特定の記憶機器には限定されない。
【００７９】
受信部４０は、外部からコンテンツストリーム３を受信する。なお、コンテンツストリーム３とは、コンテンツ１とコンテンツ識別情報２とを含む任意のデータであり、例えばテレビジョンのデジタル放送波であってもよい。
【００８０】
表示制御部６０は、表示装置１００が出力する情報（例えば、コンテンツ１、コンテンツ識別情報２など）を、表示部７０で表示可能な形式にしたがうコンテンツデータ４に変換する。ここで、表示制御部６０は、当該情報をコンテンツデータ４へ形式変換できるものであればよく、例えば一般的なディスプレイアダプタでよい。
【００８１】
表示部７０は、映像等を表示する装置である。表示機能を有する装置であればハードウェアの種類は限定されず、例えばＬＣＤ（Liquid Crystal Display）、ＰＤＰ（Plasma Display Panel）、ＥＬ（Electroluminescence）ディスプレイなどの表示素子と、表示制御部６０から入力を受けたコンテンツデータ４に基づいて表示素子を駆動するドライバ回路とを備える装置等で構成できる。
【００８２】
〔テレビジョン受像機１０１としての実現例〕
図５に基づいて、表示装置１００のより具体的な実現例である、テレビジョン受像機１０１の構成について説明する。図５は、テレビジョン受像機１０１の一部構成を示すブロック図である。
【００８３】
テレビジョン受像機１０１は、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤコントローラ１０９、ＬＣＤ１１０、音声セレクタ１１１、音声処理回路１１２、アンプ１１３、スピーカ１１４、ＵＳＢインターフェース１１５、ＲＯＭ１１６、ＲＡＭ１１７、ＣＰＵ１１８、赤外線受光部１１９、カメラ１２０、ＨＤドライブ１２１、および外部入力端子１２３を備えている。また、テレビジョン受像機１０１には、ＵＳＢインターフェース１１５を介してＵＳＢ−ＨＤドライブ１２２が外付けされている。図５において、映像信号の経路を実線で、音声信号の経路を１点鎖線で、データや制御信号の経路（バス）を太線で示している。
【００８４】
外部入力端子１２３は、映像入力端子１２３ａと音声入力端子１２３ｂとを含む。映像入力端子１２３ａは映像信号の入力するためのものであり、例えばＤＶＩ端子である。音声入力端子１２３ｂは音声信号の入力するためのものであり、例えばＳ／ＰＤＩＦ端子である。ただし、外部入力端子１２３はこれに限定されず、映像入力端子１２３ａと音声入力端子１２３ｂとが一体化されたＨＤＭＩ端子であってもよい。
【００８５】
地上デジタル放送チューナ１０２は、地上デジタル放送により各放送局から放送される放送番組を受信するチューナである。地上デジタル放送チューナ１０２は、例えば受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、およびＭＰＥＧ２ストリームから映像信号を復号する復号部により構成できる。
【００８６】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ映像セレクタ１０６および音声セレクタ１１１に供給される。なお、地上デジタル放送チューナ１０２が何れのチャンネルを介して伝送されるＭＰＥＧ２データストリームを復調するかは、ＣＰＵ１１８により制御される。
【００８７】
なお、地上デジタル放送チューナ１０２は、異なるチャンネルを介して放送される２つの放送番組を同時に受信することが可能なダブルチューナであることが望ましい。この場合、地上デジタル放送チューナ１０２は、視聴用チャンネルとして選択された第１のチャンネルを介して放送される第１の放送番組を表す映像信号を映像セレクタ１０６に供給しながら、録画用チャンネルとして選択された第２のチャンネルを介して放送される第２の放送番組を表すＭＰＥＧ２ストリームを録画再生部１０４に供給できる。
【００８８】
ただし、地上デジタル放送チューナ１０２は、ダブルチューナに限定されない。すなわち、単一のチューナであってもよく、３つ以上のチューナであってもよい。地上デジタル放送チューナ１０２が単一のチューナである場合、ユーザが放送番組を視聴していないときに限り、放送番組を表すＭＰＥＧ２ストリームを録画再生部１０４に供給できる。また、地上デジタル放送チューナ１０２が３つ以上のチューナである場合、チャンネルごと、放送波ごと、または視聴者ごとに、異なるチャンネルを介して放送される放送番組を表すＭＰＥＧ２ストリームを、録画再生部１０４に供給できる。
【００８９】
衛星放送チューナ１０３は、衛星を経由して各放送局から放送される放送番組を受信するチューナである。衛星放送チューナ１０３は、例えば受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、およびＭＰＥＧ２ストリームから映像信号を復号する復号部により構成できる。
【００９０】
衛星放送チューナ１０３により復調されたＭＰＥＧ２ストリームは、録画再生部１０４に供給される。また、衛星放送チューナ１０３により復号された映像信号および音声信号は、それぞれ映像セレクタ１０６および音声セレクタ１１１に供給される。なお、衛星放送チューナ１０３がいずれのチャンネルを介して伝送されるＭＰＥＧ２データストリームを復調するかは、ＣＰＵ１１８により制御される。なお、地上デジタル放送チューナ１０２と同様に、衛星放送チューナ１０３もダブルチューナであることが望ましい。
【００９１】
録画再生部１０４は、録画部１０４ａと再生部１０４ｂとを含む。録画部１０４ａは、地上デジタル放送チューナ１０２、または衛星放送チューナ１０３からＭＰＥＧ２ストリームを取得し、取得したＭＰＥＧ２ストリームを記録装置に書き込むものである。録画部１０４ａは、テレビジョン受像機１０１に内蔵されたＢＤドライブ１０５、テレビジョン受像機１０１に内蔵されたＨＤドライブ１２１、またはＵＳＢインターフェース１１５に接続されたＨＤドライブ１２２を、ＭＰＥＧ２ストリームを記録するための記録装置として利用する。再生部１０４ｂは、記録装置からＭＰＥＧ２ストリームを読み出し、読み出したＭＰＥＧ２ストリームから映像信号および音声信号を復号するためのものである。再生部１０４ｂにより復号された映像信号および音声信号は、それぞれ、映像セレクタ１０６および音声セレクタ１１１に供給される。
【００９２】
映像セレクタ１０６には、上述した４種類の映像信号が供給される。すなわち、（１）外部入力端子１２３（特に映像入力端子１２３ａ）から入力された映像信号、（２）地上デジタル放送チューナ１０２にて復号された映像信号、（３）衛星放送チューナ１０３にて復号された映像信号、および、（４）録画再生部１０４（特に録画部１０４ａ）にて復号された映像信号が入力される。映像セレクタ１０６は、上記（１）〜（４）の映像信号のうちのいずれか１つを選択する。映像セレクタ１０６によって選択された映像信号は、映像処理回路１０７に供給される。なお、映像セレクタ１０６がいずれの映像信号を選択するかは、ＣＰＵ１１８によって制御される。
【００９３】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば映像信号を加工することにより、その映像信号が表す映像の輝度、シャープネス、およびコントラストの少なくともいずれかを変更することをいう。また、スケーリング処理とは、映像信号を加工することにより、その映像信号が表す映像のサイズを相似拡大または相似縮小することをいう。映像処理回路１０７によって加工された映像信号は、ＬＣＤコントローラ１０９に供給される。なお、映像処理回路１０７が画質およびサイズをどのように変更するかについては、ＣＰＵ１１８により制御される。
【００９４】
ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、後述する電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００９５】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳された信号に基づいて、その映像信号が表す映像を表示するようにＬＣＤ１１０を駆動する。
【００９６】
音声セレクタ１１１には、上述した４種類の音声信号が供給される。すなわち、（１）外部入力端子１２３（特に音声入力端子１２３ｂ）から入力された音声信号、（２）地上デジタル放送チューナ１０２にて復号された音声信号、（３）衛星放送チューナ１０３にて復号された音声信号、および（４）録画再生部１０４（特に再生部１０４ｂ）にて復号された音声信号が入力される。音声セレクタ１１１は、上記（１）〜（４）の音声信号のうちのいずれか１つを選択する。
【００９７】
音声セレクタ１１１によって選択された音声信号は、音声処理回路１１２に供給される。なお、音声セレクタ１１１がいずれの音声信号を選択するかは、ＣＰＵ１１８により制御される。ただし、映像セレクタ１０６における映像の選択と、音声セレクタ１１１における音声の選択とは連動しており、例えば映像セレクタ１０６が地上デジタル放送チューナ１０２から供給された映像信号を選択しているときには、音声セレクタ１１１も地上デジタル放送チューナ１０２から供給された音声信号を選択する。
【００９８】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することをいう。また、音質調整処理とは、音声信号を加工することによって、その音声信号が表す音声の周波数特性を変更すること（例えば、低域の強調や高域の強調など）をいう。音声処理回路１１２によって加工された音声信号は、アンプ１１３に供給される。なお、音声処理回路１１２によって音量および音質をどのように変更するかは、ＣＰＵ１１８により制御される。
【００９９】
アンプ１１３は、音声処理回路１１２から供給された音声信号に基づいて、その音声信号が表す音声を出力するようにスピーカ１１４を駆動する。
【０１００】
ＣＰＵ１１８は、赤外線受光部１１９が受信したリモコン信号、およびカメラ１２０が撮像した画像応じて上記各部を制御する。赤外線受光部１１９を用いた制御としては、例えば地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば映像処理回路１０７にて画質をどのように調整するかを、撮像した画像に基づいて特定した視聴者に応じて切り替える制御などが挙げられる。
【０１０１】
また、ＣＰＵ１１８は、各放送局から提供されるＥＰＧデータから放送番組テーブルを作成する機能、および放送番組テーブルと視聴履歴から推奨番組テーブルを作成する機能を有している。なお、各放送局から提供されるＥＰＧデータは、例えば地上デジタル放送チューナ１０２、または衛星放送チューナ１０３を用いて取得できる。
【０１０２】
ＲＯＭ１１６は、ＣＰＵ１１８によって実行されるプログラムなどの固定データが格納される、読み出し可能かつ書き込み不能なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。例えば、上述した放送番組テーブルおよび推奨番組テーブルは、このＲＡＭ１１７に格納される。
【０１０３】
ＵＳＢインターフェース１１５は、ＵＳＢ機器をテレビジョン受像機１０１に接続するためのインターフェースである。テレビジョン受像機１０１に接続可能なＵＳＢ機器としては、ＨＤ（ハードディスク）ドライブなどの記録装置が代表的である。本実施形態においては、図５に示すように、ＵＳＢインターフェース１１５にＨＤドライブ１２２が接続されていることを仮定する。
【０１０４】
なお、本実施形態においては、テレビジョン受像機１０１に内蔵されたＨＤドライブ１２１（内蔵ＨＤドライブ）、ＵＳＢインターフェース１１５に接続されたＨＤドライブ１２２（外付ＨＤドライブ）、および、テレビジョン受像機１０１に内蔵されたＢＤドライブ１０５（内蔵ＢＤドライブ）を、録画番組の蓄積に利用する構成を採用しているが、これに限定されない。また、テレビジョン受像機１０１にＢＤドライブがＵＳＢ接続されている場合、このＢＤドライブ（外付ＢＤドライブ）を録画番組の蓄積に利用してもよい。また、ＢＤドライブ以外の光ディスクドライブがＵＳＢ接続されている場合、この光ディスクドライブを記録媒体を録画番組の蓄積に利用してもよいし、ＵＳＢフラッシュメモリなどの記録媒体を録画番組の蓄積に利用してもよい。要するに、記録媒体は、録画番組の蓄積が可能であれば何を用いてもよい。
【０１０５】
また、録画番組の蓄積に利用する外部記録装置（本実施形態においてはＨＤドライブ１２２）を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、およびＬＡＮなどの有線接続用インターフェース、あるいはＩＥＥＥ８０２．１１などの無線接続用インターフェースに置換することが可能である。ＳＤカードが接続されている場合には、このＳＤカードを録画番組の蓄積に利用してもよい。要するに、外部記録装置を接続するためのインターフェースは、録画番組を伝送可能なものであれば何を用いてもよい。
【０１０６】
また、本実施の形態においては、地上デジタル放送の方式として、ＭＰＥＧ２ストリームを多重化する方式（米国におけるＡＴＳＣ方式や日本におけるＩＳＤＢ−Ｔ方式など）を想定しているが、これに限定されるものではない。すなわち、例えばＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用できる。後者の場合、復調したＭＰＥＧ４ストリームをそのまま記録媒体に記録する構成を採用してもよいし、あるいは復調したＭＰＥＧ４ストリームをＭＰＥＧ２ストリームに変換して記録媒体に記録する構成を採用してもよい。
【０１０７】
なお、表示装置１００の各構成とテレビジョン受像機１０１の各構成とは、以下のように対応する。すなわち、赤外線受光部１１９は、入力部２０に対応する。ＢＤドライブ１０５、ＨＤドライブ１２１、ＵＳＢ−ＨＤドライブ１２２は、記憶部３０に対応する。地上デジタル放送チューナ１０２、衛星放送チューナ１０３、映像セレクタ１０６、および音声セレクタ１１１は、受信部４０に対応する。録画再生部１０４は、再生部５０に対応する。映像処理回路１０７、ＯＳＤ生成部１０８、およびＬＣＤコントローラは、表示制御部６０に対応する。ＬＣＤ１１０は、表示部７０に対応する。そして、テレビジョン受像機１０１の各構成に制御信号を送出するＣＰＵ１１８、およびＣＰＵ１１８が計算処理に使用するＲＯＭ１１６およびＲＡＭ１１７は、情報処理装置１１（および後述する情報処理装置１２）に対応する。
【０１０８】
〔情報処理装置１１が実行する処理〕
図６に基づいて、情報処理装置１１が実行する処理の流れを説明する。図６は、情報処理装置１１が実行する処理の一例を示すフローチャートである。
【０１０９】
まず、受信部４０は、外部からコンテンツストリーム３を受信する（ステップ１：以下、Ｓ１のように略記する）。次に、再生部５０は、ユーザ操作５ａで指定された放送局を特定し、コンテンツ再生部５１が当該放送局から放送されているコンテンツ１ａをコンテンツストリーム３から抽出して表示制御部６０へ出力する（Ｓ２）。また、コンテンツ識別情報取得部５２は、受信部４０が受信したコンテンツストリーム３からコンテンツ１ａを識別するコンテンツ識別情報２ａを抽出し、表示制御部６０およびコンテンツ識別情報格納部１５１へ出力する（Ｓ３）。
【０１１０】
次に、情報処理装置１１は、ユーザが記憶部３０に格納されているコンテンツ１ｂを選択する操作（ユーザ操作５ａ）を行ったか否かを判定する（Ｓ４）。具体的には、例えば図２（ａ）に例示するようなリストにおいて、ユーザがリモコン２１の「決定ボタン」（図４を参照）を押下したことを情報処理装置１１が検出し、上記の選択操作か否かを判定する。
【０１１１】
情報処理装置１１が上記のユーザ操作５ａを検出した場合（Ｓ４においてＹＥＳ）、コンテンツ識別情報格納部１５１は、コンテンツ識別情報取得部５２から入力されたコンテンツ識別情報２ｂを記憶部３０へ格納する（Ｓ５、格納ステップ）。このとき、コンテンツ識別情報格納部１５１は、図２（ｂ）に例示するように、コンテンツ１ｂに関する情報（例えば、コンテンツ識別情報２ｂに含まれる、当該コンテンツのタイトル等の情報）を「次のコンテンツ」として表示させてもよい。なお、情報処理装置１１が上記のユーザ操作５ａを検出しない場合は（Ｓ４においてＮＯ）、Ｓ１〜Ｓ３の処理を繰り返すことでコンテンツ１ａの表示を継続する。
【０１１２】
検出部１６は、コンテンツ識別情報取得部５２から取得されるコンテンツ識別情報２ａの変化を監視することで、表示装置１００が表示しているコンテンツ１ａの放送終了を検出する（Ｓ６、検出ステップ）。検出部１６がコンテンツ１ａの放送終了を検出した場合（Ｓ６においてＹＥＳ）、指示送出部１７１は、記憶部３０に格納されたコンテンツ識別情報２ｂを読み出し、当該コンテンツ識別情報によって識別されるコンテンツ１ｂを表示装置１００に表示させるための出力指示６を、再生部５０に送出する（Ｓ９、送出ステップ）。
【０１１３】
出力指示６の入力を受けた再生部５０は、記憶部３０からコンテンツ１ｂを読み出して（Ｓ１０）、表示制御部６０へ出力する。表示制御部６０は、再生部５０から入力されたコンテンツ１ｂをコンテンツデータ４に変換して表示部７０へ出力することで、表示部７０にコンテンツ１ｂを表示させる（Ｓ１１）。ここで、再生部５０がコンテンツ１ｂだけでなく、コンテンツ識別情報２ｂも記憶部３０から読み出し、表示制御部６０へ出力することとし、表示制御部６０が当該コンテンツ識別情報もコンテンツデータ４に変換して表示部７０へ出力することにより、図２（ｃ）に示したように、コンテンツ１ｂに関する情報を「現在のコンテンツ」として表示させてもよい。
【０１１４】
再生部５０は、コンテンツ１ｂの記憶部３０からの読み出しが終了したか否かを判定する（Ｓ１２）。再生部５０は、当該読み出しを終了したと判定する場合（Ｓ１２においてＹＥＳ）、表示装置１００がコンテンツ１ｂの再生を終了したことを示す終了信号７ｂを、検出部１６へ出力する。
【０１１５】
検出部１６は、再生部５０から終了信号７ｂが入力されると、コンテンツ識別情報２ｂを記憶部３０から削除するよう指示する削除指示８ａを、コンテンツ識別情報削除部１８１へ出力する（Ｓ１３）。コンテンツ識別情報削除部１８１は、検出部１６から削除指示８ａが入力されると、コンテンツ識別情報２ｂを記憶部３０から削除する（Ｓ１４）。
【０１１６】
一方、検出部１６がコンテンツ１ａの放送終了を検出しない場合（Ｓ６においてＮＯ）、情報処理装置１１は、ユーザがコンテンツ１ｂの再生を開始する操作（ユーザ操作５ｂ）を行ったか否かを判定する（Ｓ７）。具体的には、例えばユーザがリモコン２１の「再生ボタン」（図４を参照）を押下したことを情報処理装置１１が検出すると（Ｓ７においてＹＥＳ）、検出部１６はコンテンツ１ａの放送が終了したとみなして、終了信号７を指示送出部１７１へ出力する。この後、情報処理装置１１は前述したＳ９〜Ｓ１３の処理を実行する。
【０１１７】
一方、情報処理装置１１がユーザ操作５ｂを検出しない場合、情報処理装置１１は、ユーザがコンテンツ１ｂの再生を取り消す操作（ユーザ操作５ａ）を行ったか否かを判定する（Ｓ８）。具体的には、例えばユーザがリモコン２１の「停止ボタン」（図４を参照）を押下したことを情報処理装置１１が検出すると（Ｓ８においてＹＥＳ）、コンテンツ識別情報削除部１８１がコンテンツ識別情報２を記憶部３０から削除する（Ｓ１４）。なお、情報処理装置１１が上記操作を検出しない場合は（Ｓ８においてＮＯ）、Ｓ１〜Ｓ３を経てＳ６の処理に戻ることにより、コンテンツ１ａの表示を継続する。
【０１１８】
〔情報処理装置１１により奏される効果〕
情報処理装置１１は、コンテンツ１ａの次に表示装置１００が出力すべきコンテンツがコンテンツ１ｂであることを記憶しておき、表示装置１００がコンテンツ１ａの出力を終了した後、表示装置１００にコンテンツ１ｂを出力させることができる。
【０１１９】
これにより、コンテンツ１ａの放送が終了した後、ユーザがコンテンツ１ｂを視聴できるように、ユーザがコンテンツ１ａを視聴している任意のタイミングで、コンテンツ１ｂの再生予約を表示装置１００が設定できるようにすることができる。したがって、ユーザは手が空いている時間を見計らって、コンテンツ識別情報２ｂの選択操作を行うことができる。
【０１２０】
また、情報処理装置１１は、コンテンツ１ａに連動してコンテンツ１ｂの再生を表示装置１００に指示する。これにより、例えばコンテンツ１ａの放送時間が延長された場合であっても、当該延長された時間にあわせて表示装置１００に対するコンテンツ１ｂの出力指示６の送出を遅らせることができる。また、当該出力指示は、上記連動により自動的に行われるため、ユーザに余計な操作負担を加えることもない。
【０１２１】
さらに、上記連動により、ユーザが視聴を所望するコンテンツ１ｂが、あたかも１つの情報源から提供されているように自動的に連続して出力される。これにより、ユーザは自身が視聴を所望するコンテンツばかりが提供される専用の情報源を有しているかのような満足感を得るだけでなく、コンテンツ１ｂの見忘れをも防止できる。
【０１２２】
〔実施の形態２〕
以下、本発明の実施の形態について、図７〜図１０に基づいて詳細に説明する。なお、本実施の形態では、情報処理装置１２を内蔵した表示装置として、表示装置２００を想定する。また、本実施の形態では、前述した実施の形態１に追加される構成のみについて説明する。すなわち、実施の形態１で記載された構成等は、実施の形態２にも含まれる。さらに、実施の形態１で記載した用語の定義についても同じである。ただし、本実施の形態においては、記憶部３０にコンテンツ１があらかじめ格納されていなくともよい。
【０１２３】
「裏コンテンツ」とは、ユーザが視聴中のコンテンツと、その提供時期が時間的に重複する他のコンテンツをいう。例えば、ユーザがある放送局で放送されているコンテンツ（テレビジョン番組）を視聴しているときに、同時間帯で他の放送局から放送されている別のコンテンツをいう。本実施の形態における「裏コンテンツ」は、「コンテンツ」同様に、ケーブルテレビ、ＣＳ放送、ラジオ放送、インターネットなどから提供されるすべての映像、画像、音楽、音声、文章、文字、数式、数字、記号などであってもよい。
【０１２４】
〔情報処理装置１２の概要〕
図８に基づいて、情報処理装置１２の動作の概要について説明する。図８は、情報処理装置１２を動作させた場合に、表示装置２００の表示部７０に表示される画面の一例を表した模式図である。同図（ａ）は、ユーザがコンテンツ１ａ（同図では「プロ野球」）を視聴中に、裏コンテンツのコンテンツ識別情報２をリスト表示させている場合の画面例、（ｂ）は、上記裏コンテンツの中から視聴を所望するコンテンツ１ｂ（同図では「ドラマ」）をユーザが選択した結果、当該コンテンツのコンテンツ識別情報２ｂが提示されている場合の画面例である。
【０１２５】
実施の形態１で説明した情報処理装置１１との違いは、コンテンツ１ｂがコンテンツ１ａに対する裏コンテンツであるという点である。すなわち、ユーザは、記憶部３０に格納されたコンテンツの中からではなく、図８（ａ）に例示されるような形式で提示される裏コンテンツの中から、所望のコンテンツ１ｂを選択する。
【０１２６】
情報処理装置１２は、選択されたコンテンツ１ｂをコンテンツ識別情報２ｂと対応付けて記憶部３０に格納する。なお、記憶部３０への格納は、ユーザによるコンテンツ１ａの視聴と並行して行われる（すなわち、コンテンツが特にテレビジョン番組である場合は、いわゆる「裏番組録画」である）。そして、情報処理装置１２は、表示装置２００がコンテンツ１ａの表示を終了したことを検出すると、表示装置２００にコンテンツ１ｂの再生を開始するよう出力指示６を送出する。
【０１２７】
図９に基づいて、コンテンツ１ａとコンテンツ１ｂとが表示装置２００に表示される時間の関係について説明する。図９は、情報処理装置１２が、コンテンツ１ａの放送が終了した後で表示装置２００にコンテンツ１ｂを表示させる場合に、当該２つのコンテンツが表示される時間的な関係の一例を表す模式図である。
【０１２８】
図示のように、ユーザがコンテンツ１ａを視聴中に裏コンテンツであるコンテンツ１ｂを発見し、コンテンツ１ｂを再生予約状態に設定すると、情報処理装置１２はコンテンツ１ａを表示しながらコンテンツ１ｂを記憶部３０に格納し、コンテンツ１ａが終了した後に記憶部３０に格納されたコンテンツ１ｂを読み出して再生する。
【０１２９】
〔表示装置２００の構成〕
図７に基づいて、本実施の形態に係る情報処理装置１２を内蔵した表示装置２００の構成について説明する。図７は、情報処理装置１２を内蔵する表示装置２００の一部構成を示すブロック図である。図示のように、表示装置２００は、情報処理装置１２、入力部２０、記憶部３０、受信部４０、再生部５０、表示制御部６０、および表示部７０を含む。
【０１３０】
情報処理装置１２は、格納部（格納手段）１５、検出部（検出手段）１６、送出部（送出手段）１７、および削除部１８を含む。格納部１５は、コンテンツ識別情報格納部（格納手段）１５１とコンテンツ格納指示部（格納手段）１５２とを含み、送出部１７は、指示送出部（送出手段）１７１とコンテンツ再生指示部（送出手段）１７２とを含み、削除部１８は、コンテンツ識別情報削除部（コンテンツ識別情報削除手段）１８１とコンテンツ削除指示部（コンテンツ削除手段）１８２とを含む。再生部５０は、コンテンツ再生部５１とコンテンツ識別情報取得部５２とを含む。
【０１３１】
なお、前述と同様に、本実施の形態に直接関係のない部分は構成の説明およびブロック図から省略した。また、前述した表示装置１００または情報処理装置１１に含まれる構成と同一の構成には同一の符号を付し、同様の機能については説明を省略する。以下では、表示装置１００または情報処理装置１１には含まれていない構成、異なる機能、および異なる情報の流れについてのみを説明する。
【０１３２】
格納部１５は、ユーザから指定されたコンテンツ識別情報２ｂを記憶部３０に格納する。具体的には、コンテンツ識別情報格納部１５１が、ユーザ操作５ａで指定されたコンテンツ識別情報２ｂをコンテンツ識別情報取得部５２から取得し、当該コンテンツ識別情報を記憶部３０へ格納する。また、コンテンツ格納指示部１５２が、ユーザ操作５ａで指定されたコンテンツ１ｂを再生部５０に記憶部３０へ格納させる。
【０１３３】
検出部１６は、再生部５０から終了信号７ｂが入力された場合、コンテンツ識別情報削除部１８１に削除指示８ａを出力し、コンテンツ削除指示部１８２に削除指示８ｂ（コンテンツ削除指示部１８２にコンテンツ１ｂを記憶部３０から削除させる指示信号）を出力する。
【０１３４】
送出部１７は、検出部１６によって表示装置１００がコンテンツ１ａの出力を終了したことが検出された場合、再生部５０に出力指示６を送出する。具体的には、検出部１６から終了信号７ａが入力された場合、コンテンツ再生指示部１７２が、記憶部３０に格納されたコンテンツ１ｂを読み出し、当該コンテンツを再生するよう指示する出力指示６を、再生部５０に送出する。
【０１３５】
削除部１８は、検出部１６から削除指示８が入力された場合、記憶部３０からコンテンツ識別情報２ｂを削除する。具体的には、検出部１６から削除指示８ａが入力されると、コンテンツ識別情報削除部１８１はコンテンツ識別情報２ｂを記憶部３０から削除する。また、検出部１６から削除指示８ｂが入力されると、コンテンツ削除指示部１８２はコンテンツ１ｂを記憶部３０から削除する。
【０１３６】
受信部４０は、外部からコンテンツストリーム３を受信する点で、前述した実施の形態１における受信部４０と同じである。ただし、本実施の形態における受信部４０は、コンテンツ１ａを表示部７０に表示しつつ、コンテンツ１ｂを記憶部３０へ格納できるように、異なる２つのコンテンツを同時に取得できるようなインターフェースでなければならない。例えば、地上デジタル放送チューナ１０２または衛星放送チューナ１０３の説明で述べたような、ダブルチューナが望ましい。
【０１３７】
〔情報処理装置１２が実行する処理〕
図１０に基づいて、情報処理装置１２が実行する処理の流れを説明する。図１０は、情報処理装置１２が実行する処理の一例を示すフローチャートである。
【０１３８】
ここで、情報処理装置１２が実行する処理は、図６を参照して説明した情報処理装置１１が実行する処理と大部分が同一であり、同一の処理については同一の符号を付すことにより説明を省略する。したがって、以下ではコンテンツ格納指示部１５２、コンテンツ再生指示部１７２、およびコンテンツ削除指示部１８２が実行する処理（図９においてＳ１５〜Ｓ１７）のみ説明する。
【０１３９】
コンテンツ識別情報格納部１５１がコンテンツ識別情報２を記憶部３０へ格納した後（Ｓ５）、コンテンツ格納指示部１５２は、ユーザ操作５ａで指定されたコンテンツ１ｂを再生部５０に記憶部３０へ格納させる（Ｓ１５）。
【０１４０】
このとき、情報処理装置１２は、直ちに裏コンテンツ（コンテンツ１ｂ）を表示部７０に表示するか（コンテンツ１ｂが放送されている放送局を選択するか）、当該裏コンテンツを記憶部３０に格納するだけか（コンテンツ１ｂを録画するか）、または格納後の再生予約まで設定するか（コンテンツ１ｂを録画して再生待機状態にするか）を、ユーザに選択させてもよい。また、情報処理装置１２は、図８（ｂ）に例示するように、コンテンツ１ｂが再生待機状態にあることをユーザに提示することで、コンテンツ１ｂが記憶部３０に格納されていることを明示してよい。
【０１４１】
コンテンツ再生指示部１７２は、コンテンツ格納指示部１５２によって記憶部３０に格納されたコンテンツ１ｂを再生するよう指示する出力指示６を、再生部５０に送出する（Ｓ１６）。
【０１４２】
コンテンツ識別情報削除部１８１がコンテンツ識別情報２を記憶部３０から削除した後（Ｓ１４）、コンテンツ削除指示部１８２は、コンテンツ１ｂを記憶部３０から削除する（Ｓ１７）。このとき、情報処理装置１２は、ユーザにコンテンツ１ｂを削除するか否かを問い合わせてもよい。
【０１４３】
〔情報処理装置１２により奏される効果〕
情報処理装置１２は、コンテンツ１ａの次に表示装置２００が表示すべきコンテンツが、記憶部３０に格納しているコンテンツ１ｂであることを記憶しておき、表示装置２００がコンテンツ１ａの出力を終了した後、表示装置２００にコンテンツ１ｂを出力させることができる。
【０１４４】
これにより、情報処理装置１２は、例えばコンテンツ１ａの放送が終了した後、記憶部３０に格納されたコンテンツ１ｂをユーザが視聴できるように、コンテンツ１ｂの再生予約を表示装置２００が設定できるようにすることができる。
【０１４５】
また、情報処理装置１２によれば、ユーザはコンテンツ１ｂを登録するだけで、表示装置２００にコンテンツ１ｂの記憶および再生を行わせることができる。すなわち、情報処理装置１２によれば、ユーザは従来よりも簡単な操作でコンテンツ１ｂの記憶および出力を、表示装置２００に実行させることができる。
【０１４６】
〔その他実施の変形例〕
上記した実施の形態１および２においては、さまざまな前提条件を設けて情報処理装置１１および１２の説明を行った。しかし、当該前提条件はあくまでも説明の便宜を図るため、または記載の簡潔性を担保するために用いたものであり、当該前提条件に依拠した上記の形態には限定されないことに注意する。例えば、以下のような変形が可能である。
【０１４７】
（コンテンツ１ａおよび１ｂの種類について）
前述したように、実施の形態１および２では、コンテンツ１はテレビジョン番組であることを前提としていた。しかし、情報処理装置１１または１２がコンテンツ１ａの終了のタイミング（または、コンテンツ１ａの出力に要する時間）を取得できさえすればよいため、コンテンツ１ａはテレビジョン番組だけには限定されない。
【０１４８】
例えば、コンテンツ１ａは、ユーザからの要求に応じて通信ネットワークを介して供給される映像等のコンテンツ（いわゆるビデオ・オン・デマンド（Video on Demand；ＶＯＤ）のコンテンツ）であってもよい。この場合、表示装置１００または２００が当該コンテンツの終端まで再生した時点を終了のタイミングと判定すればよい。
【０１４９】
なお、上記の通信ネットワークはコンテンツ１を伝送可能でありさえすればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であってよい。
【０１５０】
もちろん、コンテンツ１ａは、ハードディスクレコーダ、ＤＶＤレコーダ、ブルーレイディスクレコーダなどの記憶機器に格納されたコンテンツであってもよい。この場合も、表示装置１００または２００が当該コンテンツの終端まで再生した時点を終了のタイミングと判定すればよいが、前述したように、ＨＤＭＩ接続またはイーサネット接続を介してコンテンツ１ａの終了を示す情報を取得することにより、終了のタイミングを判定してもよい。
【０１５１】
また、コンテンツ１ａが上記の形態で情報処理装置１１または１２に供給される場合に、コンテンツ１ａに対して早送りやスキップ（例えば、チャプターに分割されたコンテンツの一部または全部のチャプターの表示を省略することをいう）などの処理が行われたときは、当該コンテンツを通常再生した場合よりも再生の終了が早まる。こうした場合であっても、情報処理装置１１または１２は、コンテンツ１ａの終了を検出したときに出力指示６を送出するため、当該早まった時間にあわせて出力指示６の送出を早めることができる。
【０１５２】
同様に、コンテンツ１ｂもテレビジョン番組だけには限定されない。また、コンテンツ１ｂは、コンテンツ１ａのように、必ずしも終了のタイミングを取得できる必要はない。したがって、コンテンツ１ｂは、例えばスクリーンセーバーなどの環境映像であってもよい。さらに、情報処理装置１１または１２は、コンテンツ１ａの終了後に、任意の外部入力を介して供給される信号を表示部７０に表示するよう、表示装置１００または２００を制御してもよい。
【０１５３】
（情報処理装置を内蔵する出力装置について）
前述したように、実施の形態１および２では、情報処理装置１１または１２を内蔵した装置として表示装置１００または２００を想定している。そして、表示装置１００または２００が備える構成として、「表示部」、「表示制御部」が含まれるとして上記のように説明した。
【０１５４】
しかし、前述したように、情報処理装置１１または１２を内蔵する装置としては、例えばラジオ、パーソナルコンピュータ、タブレット端末、携帯電話、プリンタ、その他何らかのコンテンツを出力する構成を搭載した電子機器であってもよい。そして、例えばラジオが情報処理装置１１または１２を内蔵する場合、表示部７０に代えてスピーカ、表示制御部６０に代えて音声制御部であればよく、これらは公知の構成を用いることにより、上記で説明した情報処理装置１１または１２を内蔵することによる効果を得られる。
【０１５５】
（再生予約の重複設定について）
コンテンツ１ｂが再生予約状態に設定されているとき、ユーザがコンテンツ１ａおよび１ｂとは異なるコンテンツ１ｃの再生予約をさらに行った場合を考える。このとき、情報処理装置１１または１２は、当該再生予約の操作を無視してよい。また、コンテンツ１ｂの再生予約状態を解除し、新たにコンテンツ１ｃを再生予約状態に設定してもよい。
【０１５６】
あるいは、コンテンツ１ｂの終了後に続いて、コンテンツ１ｃが自動的に再生されるようにしてもよい。すなわち、情報処理装置１１または１２のコンテンツ識別情報格納部１５１は、コンテンツ１ｃを識別するコンテンツ識別情報２ｃを、記憶部３０における先入れ先出しのバッファ（キュー）に格納する。これにより、情報処理装置１１または１２は、再生予約の設定された複数のコンテンツを、設定された順番で自動的に表示装置１００または２００に表示させることができる。
【０１５７】
（他の再生予約との関係について）
日時を指定して再生予約が設定されているコンテンツ１ｂが存在し、ユーザがコンテンツ１ａを視聴している最中に、当該再生予約の日時になった場合を考える。このとき、表示装置１００または２００がコンテンツ１ａの表示を終了したか否かにかかわらず、強制的にコンテンツ１ｂの再生が開始されることとしてよい。
【０１５８】
ただし、情報処理装置１１または１２は、当該再生の開始と同時に、ユーザが先に視聴していたコンテンツ１ａをその未視聴部分（すなわち、コンテンツ１ｂの再生が開始された部分）から記憶部３０に格納し、コンテンツ１ａを再生待機状態に設定する。これにより、コンテンツ１ｂの終了後、ユーザは自動的にコンテンツ１ａの視聴を再開できる。
【０１５９】
〔各実施の形態に含まれる構成（技術的手段）の組み合わせについて〕
上述した実施の形態１、２に含まれる構成は、適宜組み合わせられることに注意する。すなわち、上記の実施の形態１、２で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１６０】
さらに換言すれば、本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【０１６１】
〔ソフトウェアによる実現例〕
最後に、情報処理装置１１、情報処理装置１２の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６２】
後者の場合、情報処理装置１１、情報処理装置１２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである情報処理装置１１、情報処理装置１２の制御プログラムのプログラムコード（実行形式プログラム、中間コードプログラム、ソースプログラム）をコンピュータで読み取り可能に記録した記録媒体を、情報処理装置１１、情報処理装置１２に供給し、そのコンピュータ（またはＣＰＵやＭＰＵ）が記録媒体に記録されているプログラムコードを読み出し実行することによっても、達成可能である。
【０１６３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１６４】
また、情報処理装置１１、情報処理装置１２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６５】
本発明は、テレビジョン受像機、ラジオ、パーソナルコンピュータ、携帯電話などに好適に適用できる。
【符号の説明】
【０１６６】
１ａ  コンテンツ（第１のコンテンツ）
１ｂ  コンテンツ（第２のコンテンツ）
１ｃ  コンテンツ
２ａ  コンテンツ識別情報
２ｂ  コンテンツ識別情報
２ｃ  コンテンツ識別情報
５ａ  ユーザ操作
５ｂ  ユーザ操作（第１の入力操作、第２の入力操作）
６    出力指示
１１    情報処理装置
１２    情報処理装置
１５    格納部（格納手段）
１６    検出部（検出手段）
１７    送出部（送出手段）
３０    記憶部
５０    再生部（出力装置）
６０    表示制御部（出力装置）
７０    表示部（出力装置）
１００    表示装置
１０１    テレビジョン受像機
１５１    コンテンツ識別情報格納部（格納手段）
１５２    コンテンツ格納指示部（格納手段）
１７１    指示送出部（送出手段）
１７２    コンテンツ再生指示部（送出手段）
１８１    コンテンツ識別情報削除部（コンテンツ識別情報削除手段）
１８２    コンテンツ削除指示部（コンテンツ削除手段）
２００    表示装置
【図１】
2013110526.tif 000003
【図２】
2013110526.tif 000004
【図３】
2013110526.tif 000005
【図４】
2013110526.tif 000006
【図５】
2013110526.tif 000007
【図６】
2013110526.tif 000008
【図７】
2013110526.tif 000009
【図８】
2013110526.tif 000010
【図９】
2013110526.tif 000011
【図１０】
2013110526.tif 000012